(57)【特許請求の範囲】
【請求項１】
本の表紙又は裏表紙を覆う第一表紙カバーと、第二表紙カバーとが、
直線状では断面円弧状となり、断面の凸側を内側にして曲げると丸まる特性を持つ帯状のバネ部材を介して繋がっている開本保持機能付ブックカバーであって、
複数の前記バネ部材が断面の凸側を内側にして前記第一表紙カバーに固定されると共に、第二表紙カバーとは可動な状態で設けられ、さらに前記バネ部材には横杆が設けられ、
第二表紙カバーは、前記バネ部材をガイドするスリットを有するスペーサー部と、前記スペーサー部の上下に接着された２枚の基板と、を有すると共に、
前記バネ部材の間に前記横杆の前記バネ部材の長手方向への移動を規制して前記バネ部材の抜け落ちを防ぐストッパ手段を備え、
前記バネ部材が本の背表紙の寸法に合わせて移動可能であることを特徴とする開本保持機能付ブックカバー。
【発明の詳細な説明】
【技術分野】
【０００１】
本発明は、開本状態を保持するための開本保持機能付きのブックカバーに関する。
【背景技術】
【０００２】
本を読んだり問題集を使用するとき、そのまま本を開くとその復元力によって本は閉じてしまう。それを防ぐための開本保持装置は数多く存在する。例えば特許文献１ではページ押えがカバー本体の両側端部に一体的に設けられており、ページ押えは透明合成樹脂シートから成る開放保持手段付教本カバーが開示されている。また、特許文献２では下端の前方直角方向に書物受け板を、左右側端の前方直角方向に袖板を設けた書物保持板の、両袖板の上部外側に回動支持脚を枢着し、また前記書物受け板の下面に前方に垂直支持板を延設し、後方に該垂直支持板に対し直角範囲で擺動可能な傾斜支持板を、ヒンジを介して連結するとともに該傾斜支持板の中心部位に傾斜調節ねじ脚を螺装した書見台が開示されている。
【先行技術文献】
【特許文献】
【０００３】
【特許文献１】特開２００７−１４４８３１
【特許文献２】特開２００３−３５６
【発明の概要】
【発明が解決しようとする課題】
【０００４】
しかしながら、特許文献１に示す合成樹脂シートからなるカバーは厚い本の開本状態を保持することはできない。また、特許文献２に示すような一般的に多く見られる開本保持装置は大きくて持ち運びには不適である。
【０００５】
そこで、本発明においては持ち運び可能であると共に、見た目にも好ましい開本保持機能付ブックカバーを提案するものである。
【課題を解決するための手段】
【０００６】
本発明は上記目的を達成するため、下記により課題を解決する。
（１）本の表紙又は裏表紙を覆う第一表紙カバーと、第二表紙カバーとが、直線状では断面円弧状となり、断面の凸側を内側にして曲げると丸まる特性を持つ帯状のバネ部材を介して繋がっている開本保持機能付ブックカバーであって、複数の前記バネ部材が断面の凸側を内側にして前記第一表紙カバーに固定されると共に、第二表紙カバーとは可動な状態で設けられ、さらに前記バネ部材には横杆が設けられ、第二表紙カバーは、前記バネ部材をガイドするスリットを有するスペーサー部と、前記スペーサー部の上下に接着された２枚の基板と、を有すると共に、前記バネ部材の間に前記横杆の前記バネ部材の長手方向への移動を規制して前記バネ部材の抜け落ちを防ぐストッパ手段を備え、前記バネ部材が本の背表紙の寸法に合わせて移動可能であることを特徴とする開本保持機能付ブックカバーを提供し、前記課題を解決する。
【発明の効果】
【０００７】
本発明に係る開本保持機能付ブックカバーを用いることにより、持ち運び可能な開本保持装置を提供することができる。
【図面の簡単な説明】
【０００８】
【図１】本発明に係る開本保持機能付ブックカバーの開本状態を示す図である。
【図２】本発明に係る開本保持機能付ブックカバーの構成図である。
【図３】本発明に係る開本保持機能付ブックカバーの閉本状態を示す図である。
【図４】本発明に係る開本保持機能付ブックカバーの実施例を示す図である。
【発明を実施するための形態】
【０００９】
以下、図面に基づいて本発明を詳しく説明する。先ず、図１に示すように、本発明に係る開本保持機能付ブックカバーは、本の表紙又は裏表紙を覆う第一表紙カバー２Ａと、第二表紙カバー２Ｂが、直線状では断面円弧状となり、前記断面の凸側を内側にして曲げると丸まる特性を持つ帯状のバネ部材２２を介して連結されている。バネ部材２２は２箇所に設けられていることが好ましい。そして、本の表紙を保持するシート３１がそれぞれ第一表紙カバー２Ａ、第二表紙カバー２Ｂの内側に設けられており、シート３１と表紙カバー２Ａ、２Ｂの間に本の表紙が挿入されて、開本状態を保持する。尚、シート３１は透明な薄い合成樹脂製のシートが好ましいが、本の表紙が保持できれば特に素材や形状についての限定はない。表紙を保持できれば良いので、ゴムなどで係止することも可能である。
【００１０】
バネ部材２２として、直線状では断面円弧状となり、前記断面の凸側を内側にして曲げると丸まる特性を持つものを用いることができる。例えばコンベックスコンストン（サンコースプリング株式会社、「コンストン」は登録商標）と呼ばれるものを用いることができる。平板の状態でその表面をたたくと丸まり、また手で広げれば元の直線状態に戻るという特性をもったスプリングである。前記バネ部材２２にカバーを設けても良い。
【００１１】
前記バネ部材２２は凸側を内側にして、一方の第一表紙カバー２Ａと固定され、第二表紙カバー２Ｂとは可動状態で設けられている。第一表紙カバー２Ａ及び第二表紙カバー２Ｂは、図２に示すように、前記バネ部材２２をガイドするためのスリット２５を有するスペーサー部２３と、前記スペーサー部２３の上下面に接着された２枚の基板２１と、で構成されている。基板２１は持ち運び可能でありつつも、バネ部材２２の巻縮力を適度に抑制するような硬さを持った素材で構成される。例えばプラスチック板や厚紙などの硬質で軽い素材を用いることが好ましい。なお、表紙には見た目に好ましいようにデザインを付しても良い。また、基板２１にデザインを付したカバーをさらに設けても良い。
【００１２】
２枚の基板２１の間にバネ部材２２をガイドするスペーサー部２３が設けられている。スペーサー部２３はバネ部材２２をガイドできるようにスリット２５が設けられている。可動側の表紙カバー２Ｂにおいては、スリット２５に沿ってバネ部材２２がその長手方向に摺動する。スペーサー部２３の素材に限定はなく、紙、薄いプラスチック板などを用いることができる。なお、第一表紙カバー２Ａにおいては、バネ部材２２がスリット２５に収容されるが、固定されているので、摺動することはない。
【００１３】
前記バネ部材２２の両端には横杆２４が設けられている。横杆２４バネ部材２２同士の先端部分を繋ぐように設けることが好ましいが、バネ部材の間であればどこでも設けることは可能である。横杆２４はバネ部材２２に伴って長手方向に摺動し、本の背表紙の寸法に合わせてブックカバーの厚さを変更可能に構成されている。横杆２４の材質・形状には特に定めがないが、摺動可能な程度の厚みとすることが好ましい。
【００１４】
可動側の表紙カバー２Ｂのスペーサー部２３のスリット２５で囲われている非接着領域Ｐは、横杆２４がバネ部材の長手方向に摺動可能となるように、基板２１とスペーサー部２３が非接着とされている。これにより横杆２４はバネ部材２２の長手方向の抜き差しに伴って左右方向に摺動可能である。なお、横杆２４が摺動する側のみ非接着とすればよく、横杆２４が摺動しない側の基板２１とスペーサー部２３は接着されていて構わない。なお、接着領域Ｓ１は全面で接着されていても良いし、一部が接着されていても良い。非接着領域Ｐの先端であるＳ２の領域においてもスペーサー部２３と基板２１は接着されており、これにより、横杆２４を係止して前記バネ部材２２の抜け落ちを防ぐストッパ手段を構成している。
【００１５】
固定側の第一表紙カバー２Ａにおいては基板２１とスペーサー部２３は横杆２４は接着面に規制されて摺動できないように一部又は全部が接着されているため（接着領域Ｓ１）、第一表紙カバー２Ａとバネ部材２２とが固定される。尚、横杆２４を基板２１やスペーサー部２３に接着することにより固定しても良い。
【００１６】
図３は本発明に係るブックカバーを本Ｂに装着し、閉本した状態を示している。閉本したブックカバーはバネ部材２２が表紙カバーで抑えられているので、開本しようとすることもない。
【実施例１】
【００１７】
図４はスペーサー部２３を逆コ型形状にした場合の実施例を示している。本の表紙又は裏表紙を覆う第一表紙カバー２Ａ、第二表紙カバー２Ｂがバネ部材２２を介して連結している構成は上述した例と同様である。そして、固定側の第一表紙カバー２Ａの構成についても前述と同様である。
【００１８】
可動側の第二表紙カバー２Ｂにおいて、２枚の基板２１と上下で接着されているスペーサー部２３は、バネ部材２２が挿入される方向に凹部が存在する逆コ型形状をしている。スペーサー部２３と基板２１は上下それぞれの面で全部もしくは一部が接着されている（接着領域Ｓ１）。そして、逆コ型の凹部（スペーサー部のない部分）は非接着領域Ｐとなっているので、横杆２４がバネ部材の長手方向に摺動するが、Ｓ２の部分において基板２１同士が接着されているので、この接着領域Ｓ２がストッパ手段となって横杆２４が係止され、バネ部材２２の抜け落ちを防止することができる。
【符号の説明】
【００１９】
２Ａ  第一表紙カバー
２Ｂ  第二表紙カバー
２１  基板
２２  バネ部材
２３  スペーサー部
２４  横杆
２５  スリット
３１  シート
Ｓ１、Ｓ２    接着領域
Ｐ  非接着領域
【要約】
【課題】持ち運び可能であると共に、見た目にも好ましい開本保持手段付ブックカバーを提案するものである。
【解決手段】本の表紙又は裏表紙を覆う第一表紙カバーと、第二表紙カバーとが、直線状では断面円弧状となり、断面の凸側を内側にして曲げると丸まる特性を持つ帯状のバネ部材を介して繋がっている開本保持機能付ブックカバーであって、複数の前記バネ部材が断面の凸側を内側にして前記第一表紙カバーに固定されると共に、第二表紙カバーとは可動な状態で設けられ、さらに前記バネ部材には横杆が設けられ、第二表紙カバーは、前記バネ部材をガイドするスリットを有するスペーサー部と、前記スペーサー部の上下に接着された２枚の基板と、を有すると共に、前記バネ部材の間に前記バネ部材の抜け落ちを防ぐストッパ手段を備え、前記バネ部材が本の背表紙の寸法に合わせて移動可能であることを特徴とする開本保持手段付ブックカバーを提供し、前記課題を解決する。
【選択図】図１【図１】
0005831962.tif 000002
【図２】
0005831962.tif 000003
【図３】
0005831962.tif 000004
【図４】
0005831962.tif 000005